(57)【要約】    【課題】  電解槽から水漏れしても、水処理装置の外部に水漏れし難い構成とする。    【解決手段】  外枠１に取り付けられた状態において、図４に示すように、下前側板１２ａは、受け皿２の前壁２ｂと近接し、パッキン１３は前壁２ｂの上部外面に接触する（押し付けられる）。下後側板１２ｂ、下右側板１２ｃ、及び下左側板１２ｄも下前側板１２ａと同様であり、結果として、受け皿２の周壁２ｂ、２ｃ、２ｄ、２ｅと下部側板１２とが全周に亘りパッキン１３によってシール（水封）される。こうして、受け皿２と下部側板１２とで、深さの深い水受け部が構成される。このため、電解槽４から溢れる水の流量が多く、受け皿２の上端よりも水位が高くなっても、受け皿２の部分から水が漏れ難い。    【選択図】    図４
2007054794.tif 000002
【特許請求の範囲】
【請求項１】
外枠と、外枠内に配置され、内部に少なくとも一対の電極を備える電解槽と、この電解槽へ被処理水を導入するための導入水路と、前記電解槽から処理された水を導出するための導出水路とを備え、電解槽内に導入された被処理水を、前記電極への通電による電気化学反応によって滅菌処理して導出する水処理装置において、
前記電解槽の下方には、電解槽から漏れた水を受けるため、前記外枠の底面全体とほぼ同じ広さの受け皿部（トレー）が配置されるとともに、前記外枠には、前記電解槽の全周を囲む側板が取り付けられ、
前記受け皿部の周壁と前記側板とは近接し、その間は全周に亘ってシール部材が設けられて水封されている、
ことを特徴とする水処理装置。
【請求項２】
前記受け皿部の下方に第２の受け皿部が設けられていることを特徴とする請求項１に記載の水処理装置。
【請求項３】
外枠と、外枠内に配置された処理槽と、この電解槽へ被処理水を導入するための導入水路と、前記電解槽から処理された水を導出するための導出水路とを備え、電解槽内に導入された被処理水に所定の処理を施して導出する水処理装置において、
前記処理槽の下方には、処理槽から漏れた水を受けるため、前記外枠の底面全体とほぼ同じ広さの受け皿部（トレー）が配置されるとともに、前記外枠には、前記処理槽を囲む側板が取り付けられ、
前記受け皿部の周壁と前記側板とは近接し、その間はシール部材が設けられて水封されている、
ことを特徴とする水処理装置。
【発明の詳細な説明】
【技術分野】
【０００１】
本発明は、被処理水に滅菌処理などの所定の処理を施す水処理装置に関する。
【背景技術】
【０００２】
従来、プールや浴場などの水（被処理水）を電解槽内に導入し、電極への通電による電気化学反応によって滅菌処理して再びプールなどに戻すようにした水処理装置が実用化されている。
【０００３】
そして、このような水処理装置において、特許文献１に示すように、電解槽内から万一水漏れが生じたときに、この水を受けるべく、電解槽の下方に受け皿を設けるようにしたものがある。
【特許文献１】特開２００１−２１９１６７号公報
【発明の開示】
【発明が解決しようとする課題】
【０００４】
上記の水処理装置においては、受け皿の深さを深くすると上下のスペースが大きくなってしまう。これを避けるため、電解槽を受け皿内に設置することも考えられるが、装置を組み立てるときには上方から受け皿内に電解槽を入れることになるので、受け皿が深いと組み立て作業が大変になる。よって、電解装置と受け皿とが離れているにしても、電解槽が受け皿内に設置されているにしても、受け皿は深さが比較的浅いものとなる。この場合、電解槽内から水が多く漏れると、受け皿で受けきれないという問題がある。
【０００５】
この発明は、水処理装置に関し、このような課題を解消することを目的としている。
【課題を解決するための手段】
【０００６】
請求項１に係る発明は、外枠と、外枠内に配置され、内部に少なくとも一対の電極を備える電解槽と、この電解槽へ被処理水を導入するための導入水路と、前記電解槽から処理された水を導出するための導出水路とを備え、電解槽内に導入された被処理水を、前記電極への通電による電気化学反応によって滅菌処理して導出する水処理装置において、
前記電解槽の下方には、電解槽から漏れた水を受けるため、前記外枠の底面全体とほぼ同じ広さの受け皿部（トレー）が配置されるとともに、前記外枠には、前記電解槽の全周を囲む側板が取り付けられ、
前記受け皿部の周壁と前記側板とは近接し、その間は全周に亘ってシール部材が設けられて水封されている、
ことを特徴とする水処理装置である。
【０００７】
請求項２に係る発明は、前記受け皿部の下方に第２の受け皿部が設けられていることを特徴とする請求項１に記載の水処理装置である。
【０００８】
請求項３に係る発明は、外枠と、外枠内に配置された処理槽と、この電解槽へ被処理水を導入するための導入水路と、前記電解槽から処理された水を導出するための導出水路とを備え、電解槽内に導入された被処理水に所定の処理を施して導出する水処理装置において、
前記処理槽の下方には、処理槽から漏れた水を受けるため、前記外枠の底面全体とほぼ同じ広さの受け皿部（トレー）が配置されるとともに、前記外枠には、前記処理槽を囲む側板が取り付けられ、
前記受け皿部の周壁と前記側板とは近接し、その間はシール部材が設けられて水封されている、
ことを特徴とする水処理装置である。
【発明の効果】
【０００９】
請求項１及び請求項３の水処理装置によれば、受け皿部と側板とで深い水受け部を構成することができるので、電解槽（処理槽）から多くの水が漏れ、受け皿部より水位が高まっても、水が外部に漏れにくい。
【００１０】
請求項２の水処理装置によれば、万一、上方の受け皿部の部分で水漏れが生じても、その水を受けることができる。
【発明を実施するための最良の形態】
【００１１】
以下、本発明による水処理装置の一実施例を図に基づいて説明する。図１は水処理装置の右側面図、図２は水処理装置の背面図である。
【００１２】
水処理装置の外形を構成する外枠１は、立方体の箱形状をしている。この外枠１は、平面が四角形で底の浅い皿形状（トレー形状）の底面板１ａと、この底面板１ａの四隅からそれぞれ立設された４本の支柱１ｂと、この支柱１ｂに四隅が支えられた四角形の上面板１ｃとで構成されている。底面板１ａは、本発明の第２の受け皿部として機能し、後部には後方に延びるドレイン口部１ｄが設けられている。このドレイン口部１ｄは外部の排水管に接続される。
【００１３】
外枠１には、底面より少し距離をおいて、即ち、底面から外枠１の３分の１程度の高さ位置に受け皿２（本発明の受け皿部に相当）が配置されている。この受け皿２は、４本の支柱１ｂの間にそれぞれ渡した４本の梁部材３によって支持されている。図３に受け皿２の構成を示す。この受け皿２は、外枠１の底面とほぼ同じ広さであり、四角形の底面２ａと、この底面２ａの前縁、後縁、右縁、左縁からそれぞれ立設され、受け皿２の周壁を構成する前壁２ｂ、後壁２ｃ、右壁２ｄ、左壁２ｅで構成されている。受け皿２は、底面の幅がおよそ４５０ｍｍで奥行がおよそ９００ｍｍであるのに対し、周壁の高さはおよそ８０ｍｍであり、その深さは、比較的浅くなっている。受け皿２の後壁２ｃには、受け皿２内に溜まった水を排出するため、後方に延びるドレイン口部２ｆが設けられている。このドレイン口部２ｆも外部の排水管に接続される。
【００１４】
受け皿２内には、電解槽４（本発明の電解槽と処理槽に相当）が載置されている。この電解槽４内には、少なくとも一対、好ましくは複数対の電極（図示せず）が配置されている。電解槽４の上部には、電解槽４内で処理される被処理水を導入するための導入管５（本発明の導入水路に相当）が接続されている。この導入管５の入口部には、導入される水の流量を制御するために電磁バルブ６が設けられている。また、電解槽４の底部には電解槽４内で処理された水を導出するための導出管７（本発明の導出水路に相当）が接続されている。この導出管７の途中には、電解槽４内の水を強制的に移送するための送水ポンプ８が設けられている。この送水ポンプ８は、外枠１の底面板１ａ上に配置されている。導出管７における送水ポンプ８よりも上流側の所定位置からは排出管９が分岐している。その分岐部には切替えバルブ１０が設けられている。水処理装置のメンテナンスを行なう際に、切替えバルブ１０を排出管９側に切り替えると、電解槽４内の水が排出管９を介して外部に排出できる。
【００１５】
外枠１には、その上部に外枠１の四面を覆う上部側板１１が取り付けられ、上部側板１１の下方に下部側板１２（本発明の側板に相当）が取り付けられている。上部側板１１及び下部側板１２は、電解槽４の全周（前後左右）を囲むように取り付けられている。下部側板１２は、電解槽４の前方を覆う下前側板１２ａ、後方を覆う下後側板１２ｂ、右方を覆う下右側板１２ｃ、左方を覆う下左側板１２ｄとで構成されている。これら４つの側板は、いずれも横長の長方形状をしており、下前側板１２ａと下後側板１２ｂとは同じ大きさであり、下右側板１２ｃと下左側板１２ｄとは同じ大きさである。上部側板１１も同様であり、上前側板１１ａ、上右側板１１ｃ、及び上左側板１１ｄで構成されているが、後側の側板がない。
【００１６】
下前側板１２ａの裏面における下側位置には、横に細長いパッキン１３（本発明のシール部材に相当）が接着などを用いて固定されている。このパッキン１３は下前側板１２ａの下縁と平行に右縁から左縁まで設けられている。下後側板１２ｂ、下右側板１２ｃ、及び下左側板１２ｄにも、下前側板１２ａと同様にパッキン１３が固定されている。
【００１７】
上部側板１１及び下部側板１２は、支柱１ｂにネジ止めされて外枠１に固定される。外枠１に取り付けられた状態において、図４に示すように、下前側板１２ａは、受け皿２の前壁２ｂと近接し、パッキン１３は前壁２ｂの上部外面に接触する（押し付けられる）。下後側板１２ｂ、下右側板１２ｃ、及び下左側板１２ｄも下前側板１２ａと同様であり、結果として、受け皿２の周壁２ｂ、２ｃ、２ｄ、２ｅと下部側板１２とが全周に亘りパッキン１３によってシール（水封）される。こうして、受け皿２と下部側板１２とで、深さの深い水受け部が構成される。
【００１８】
なお、水処理装置を組み立てる際には、受け皿２内に電解槽４を設置し、その後、上部側板１１及び下部側板１２を外枠１に取り付ける。受け皿２は比較的底が浅いので、電解槽４を設置する作業は容易に行なうことができる。
【００１９】
外枠１の上面板１ｃの前側には制御装置１４が配置されている。この制御装置１４内には、電解槽４内の電極や電磁バルブ６、送水ポンプ８への通電を制御するための制御回路（図示せず）などが収納されている。また、上面板１ｃの後側には電解槽４内で発生した水素ガスを排気するための排気筒１５が突設されている。
【００２０】
さて、上記の構成の水処理装置は、例えば、プールの水を滅菌処理ため、プールの水の循環水路に接続される。こうして、水処理装置が運転されると、プールの水が被処理水として電解槽４内に導入される。電解槽４内には食塩が投入され、電極への通電が行なわれる。電解槽４内では、電気分解によって次亜塩素酸や次亜塩素酸イオンなどが発生し、被処理水が滅菌される。滅菌処理された水は、電解槽４内から導出され、再びプールへと戻る。このように、プールと水処理装置との間で水が循環することでプール内の水が滅菌される。
【００２１】
ところで、この水処理装置においては、電解槽４内に水位センサー（図示せず）を設け、この水位センサーに基づいて電磁バルブ６や送水ポンプ８を制御することにより、電解槽４内の水位がほぼ一定になるようにしているが、水位センサーが誤動作するなどして、電解槽４への水の導入量が電解槽４からの水の導出量より多い状態が続くと、電解槽４内から水が溢れ出す虞がある。このような場合、溢れた水は受け皿２に流れ込み、受け皿２のドレイン口部２ｆから外部の排水管に排出される。このとき、溢れる水の流量が多く、ドレイン口部２ｆからの排水が追いつかないと水が受け皿２内に溜まっていく。これにより、受け皿２の上端よりも水位が高くなる場合が出てくる。
【００２２】
この水処理装置では、受け皿２と下部側板１２と間をパッキン１３によって水封することで、深い水受け部を構成するようにしている。よって、水位が受け皿２を越えても水が漏れ難い。したがって、受け皿２を比較的浅くすることで電解槽４の設置作業性を良くしても、水処理装置から水漏れし難い構成を実現することができる。
【００２３】
また、万一、この受け皿２の部分から水が漏れた場合には、漏れた水は底面板１ａで受けられ、この底面板１ａのドレイン口部１ｄから排水管へ排出することができる。したがって、より水漏れしにくい構成とすることができる。
【００２４】
以上、本発明は、上記実施例に限られるものではなく、本発明の趣旨の範囲内で適宜変更や修正を行なうことができる。
【図面の簡単な説明】
【００２５】
【図１】本発明の一実施形態に係る水処理装置の右側面図である。
【図２】本発明の一実施形態に係る水処理装置の背面図である。
【図３】受け皿の構成を示す、受け皿の斜視図である。
【図４】受け皿と下部側板との配置関係を詳細に示す、要部断面図である。
【符号の説明】
【００２６】
１  外枠
１ａ  底面板（第２の受け皿部）
２  受け皿（受け皿部）
４  電解槽（処理槽）
５  導入管（導入水路）
７  導出管（導出水路）
１２  下部側板（側板）
１３  パッキン（シール部材）
【図１】
2007054794.tif 000003
【図２】
2007054794.tif 000004
【図３】
2007054794.tif 000005
【図４】
2007054794.tif 000006